(57)【要約】【課題】結露水を滴下させず、また、結露水を捨てるというメンテナンスを不要とすることを目的とする。【解決手段】建物の外壁内に設けられて室内１側と室外２側を連通するダクト３内に嵌挿される本体筒部４と、本体筒部４の室外側端部５に開口部６を有し径方向に延びるフランジ部７とを有するカバー部材８を有した換気用ベントキャップ９であって、カバー部材８の内周に水分を吸収する水分吸収部材１０を設けたことにより、ダクト内で発生した水分が、本体筒部を通してカバー部材の下部に水分が溜まった水分を水分吸収部材が染み込み、水分吸収部材に換気風があたると水分吸収部材から水分が気化されて、水分が蒸発するので、水を捨てるというメンテナンスを不要にできる。【選択図】図１
2010210116.tif 000002
【特許請求の範囲】
【請求項１】
建物の外壁内に設けられて室内側と室外側を連通するダクト内に嵌挿される本体筒部と、本体筒部の室外側端部に開口部を有し径方向に延びるフランジ部とを有するカバー部材を有した換気用ベントキャップであって、カバー部材の内周に水分を吸収する水分吸収部材を設けたことを特徴とする換気用ベントキャップ。
【請求項２】
カバー部材の開口部にガラリを設け、ガラリの面にも水分吸収部材を設けたことを特徴とする請求項１記載の換気用ベントキャップ。
【請求項３】
カバー部材の開口部に網を設け、網にも水分吸収部材を設けたことを特徴とする請求項１記載の換気用ベントキャップ。
【請求項４】
水分吸収部材を、フェルトとしたことを特徴とする請求項１〜３のいずれかに記載の換気用ベントキャップ。
【請求項５】
水分吸収部材を、植毛としたことを特徴とする請求項１〜３のいずれかに記載の換気用ベントキャップ。
【請求項６】
水分吸収部材を和紙としたことを特徴とする請求項１〜３のいずれかに記載の換気用ベントキャップ。
【請求項７】
水分吸収部材に、防虫効果のある薬剤を含浸させたことを特徴とする請求項１〜６のいずれかに記載の換気用ベントキャップ。
【請求項８】
水分吸収部材に、帯電防止処理を施したことを特徴とする請求項１〜７のいずれかに記載の換気用ベントキャップ。
【請求項９】
水分吸収部材に、抗菌処理を施したことを特徴とする請求項１〜８のいずれかに記載の換気用ベントキャップ。
【請求項１０】
カバー部材の開口部の周囲に折り曲げ部材を設けたことを特徴とする請求項１〜９のいずれかに記載の換気用ベントキャップ。
【請求項１１】
カバー部材を水分吸収部材で構成したことを特徴とする換気用ベントキャップ。
【発明の詳細な説明】
【技術分野】
【０００１】
本発明は、建物の壁に形成された換気口に付設される換気用ベントキャップに関するものであり、特に換気用ベントキャップから水が滴下するのを防止する換気用ベントキャップに関するものである。
【背景技術】
【０００２】
一般に、換気用ベントキャップは、例えば、浴室等に設けられた排気や換気の為の通気機能を有する管材に付設して使用される。
【０００３】
従来、この種の換気用ベントキャップについて図１２を参照にしながら説明する。
【０００４】
このような換気用ベントキャップ１０１には、浴室等において発生する湿気などが排気経路中のダクト内で外気の冷たい空気によって冷やされると結露が生じ、ダクト内に結露水が貯まる。そして、その結露水は換気用ベントキャップ１０１の下端１０２に貯まる。
【０００５】
このため、従来の換気用ベントキャップ１０１においては、内部に付着した水分を溜める液貯部１０３を着脱自在に設けたものが提案されている。このような従来の換気用ベントキャップ１０１は、一般に通気機能を有するダクトに連結し、このダクトの外気側に換気用ベントキャップ１０１を取り付ける。この換気用ベントキャップ１０１の下部には、周壁部を下方に膨出せしめて形成した膨出部１０３を設け、この膨出部１０３に液溜部１０４を正面側から着脱操作できるように取り付けている。
【０００６】
このように構成した従来の換気用ベントキャップでは、内部に付着した水分等の廃液が内側の下部から排出されて液溜部１０３に溜まるので、この液溜部１０４を換気用ベントキャップ１０１から取り外すことで廃液を換気用ベントキャップ１０１外に出して廃棄することができる（例えば、特許文献１参照）。
【特許文献１】特開２０００−３４６４１３号公報
【発明の開示】
【発明が解決しようとする課題】
【０００７】
しかしながら、このような従来の換気用ベントキャップでは、液溜部は自然蒸発がされないため、日ごとに発生する結露水は、日ごとに液溜部にたまる。そのため頻繁に液溜部に溜まった水を捨てないと、結露水が液溜部からあふれてしまい、住宅の壁にこぼれ、壁を汚すおそれがある。このような背景により近年、結露水を捨てるというメンテナンスを必要としない換気用ベントキャップが望まれている。
【０００８】
本発明は、上述のような課題を解決するためになされたもので、換気用ベントキャップの下部に溜まる水の自然蒸発を促進させて、結露水を溜めない換気用ベントキャップを提供し、結露水を捨てるというメンテナンスを不要とすることを目的とする。
【課題を解決するための手段】
【０００９】
本発明の換気用ベントキャップは、上記目的を達成するために、建物の外壁内に設けられて室内側と室外側を連通するダクト内に嵌挿される本体筒部と、本体筒部の室外側端部に開口部を有し径方向に延びるフランジ部とを有するカバー部材を有した換気用ベントキャップであって、カバー部材の内周に水分を吸収する水分吸収部材を設けたことを特徴とする換気用ベントキャップとしたものである。
【００１０】
また、他の手段は、カバー部材の開口部にガラリを設け、ガラリの面にも水分吸収部材を設けたものである。
【００１１】
また、他の手段は、カバー部材の開口部に網を設け、網にも水分吸収部材を設けたものである。
【００１２】
また、他の手段は、水分吸収部材を、フェルトとしたものである。
【００１３】
また、他の手段は、水分吸収部材を、植毛としたものである。
【００１４】
また、他の手段は、水分吸収部材を、和紙としたものである。
【００１５】
また、他の手段は、水分吸収部材に、防虫効果のある薬剤を含浸させたものである。
【００１６】
また、他の手段は、水分吸収部材に、帯電防止処理を施したものである。
【００１７】
また、他の手段は、水分吸収部材に、抗菌処理を施したものである。
【００１８】
また、他の手段は、カバー部材の開口部の周囲に折り曲げ部材を設けた構成としたものである。
【００１９】
また、他の手段は、カバー部材を水分吸収部材で構成したものである。
【発明の効果】
【００２０】
本発明によれば、建物の外壁内に設けられて室内側と室外側を連通するダクト内に嵌挿される本体筒部と、前記本体筒部の室外側端部に開口部を有し径方向に延びるフランジ部とを有するカバー部材を有した換気用ベントキャップであって、前記カバー部材の内周に水分を吸収する水分吸収部材設けたことにより、ダクト内で発生した水分が、本体筒部を通してカバー部材の下部に水分が溜まると、カバー部材の下部の水分吸収部材に水分が染み込む。水分吸収部材に染み込んだ水分は、カバー部内周に設けられた水分吸収部材全体に染み渡り、水分吸収部材に換気風があたると水分吸収部材から水分が気化されて、水分が蒸発するので、水を捨てるというメンテナンスを不要にできる。
【００２１】
また、カバー部材の開口部にガラリを設け、ガラリの面にも水分吸収部材を設けたので、カバー部材の下部に溜まった水が水分吸収部材によって水分がガラリまで吸い上げられ、ガラリの設けた水分吸収部材に換気風があたり、より水分の蒸発のスピードを促進させることができる。そのため、水分が多くても、自然蒸発のスピードを促進させているので、カバー部材の下端に溜まる水分をより早く蒸発させることができる。
【００２２】
また、カバー部材の開口部に網を設け、網にも水分吸収部材を設けたので、網によって虫の侵入を阻止できる。また、目の細かい網は換気風との接触面が多いため、網に有した水分吸収部材に風が多く当たるため、水分の蒸発のスピードが速くなる。
【００２３】
また、水分吸収部材を、フェルトとしたので、壁に設置された後でも、水分吸収部材の有していない換気用ベントキャップに簡単に水分吸収部材を貼り付けることができる。
【００２４】
また、水分吸収部材を、植毛としたので、換気風量を低下させず、カバー部材の下端に溜まる水分を蒸発させることができる。
【００２５】
また、水分吸収部材を和紙としたので、薄く加工ができるため換気風量を低下させず、カバー部材の下端に溜まる水分を蒸発させることができる。
【００２６】
また、水分吸収部材に、防虫効果のある薬剤を含浸させたので、虫を寄せ付けるのを防止できる。
【００２７】
また、水分吸収部材に、帯電防止処理を施したので、埃の付着を防止し、埃付着によって蒸発のスピードが遅くなるのを防止でき、またカバー部材の開口部の目詰まりを防止できるので換気風量の低下を防止することができる。
【００２８】
また、水分吸収部材に、抗菌処理を施したので、結露水によるカビの発生を防止することができる。
【００２９】
また、カバー部材の開口部の周囲に折り曲げ部材を設けたので、水分吸収部材がカバー部材から剥がれるのを防止できる。
【００３０】
また、カバー部材を水分吸収部材で構成したので、カバー部材の全表面積で多くの水分を放出できるため、カバー部材から水が垂れるのを防止できる。
【発明を実施するための最良の形態】
【００３１】
本発明の請求項１記載の換気用ベントキャップは、建物の外壁内に設けられて室内側と室外側を連通するダクト内に嵌挿される本体筒部と、前記本体筒部の室外側端部に開口部を有し径方向に延びるフランジ部とを有するカバー部材を有した換気用ベントキャップであって、前記カバー部材の内周に水分を吸収する水分吸収部材設けたことにより、ダクト内で発生した水分が、本体筒部を通してカバー部材の下部に水分が溜まると、カバー部材の下部の水分吸収部材に水分が染み込み、水分吸収部材に染み込んだ水分は、カバー部内周に設けられた水分吸収部材全体に染み渡り、水分吸収部材に換気風があたると水分吸収部材から水分が気化されて、水分が蒸発するので、水を捨てるというメンテナンスを不要にできるという作用を有する。
【００３２】
また、カバー部材の開口部にガラリを設け、ガラリの面にも水分吸収部材を設けたので、カバー部材の下部に溜まった水が水分吸収部材によって水分がガラリまで吸い上げられ、ガラリの設けた水分吸収部材に換気風があたり、より水分の蒸発のスピードを促進させることができる。そのため、水分が多くても、自然蒸発のスピードを促進させているので、カバー部材の下端に溜まる水分をより早く蒸発させることができるという作用を有する。
【００３３】
また、カバー部材の開口部に網を設け、網にも水分吸収部材を設けたので、網によって虫の侵入を阻止できる。また、目の細かい網は換気風との接触面が多いため、網に有した水分吸収部材に風が多く当たるため、水分の蒸発のスピードが速くなるという作用を有する。
【００３４】
また、水分吸収部材を、フェルトとしたので、壁に設置された後でも、水分吸収部材の有していない換気用ベントキャップに簡単に水分吸収部材を貼り付けることができるという作用を有する。
【００３５】
また、水分吸収部材を、植毛としたので、換気風量を低下させず、カバー部材の下端に溜まる水分を蒸発させることができるという作用を有する。
【００３６】
また、水分吸収部材を和紙としたので、薄く加工ができるため換気風量を低下させず、カバー部材の下端に溜まる水分を蒸発させることができるという作用を有する。
【００３７】
また、水分吸収部材に、防虫効果のある薬剤を含浸させたので、虫を寄せ付けるのを防止できるという作用を有する。
【００３８】
また、水分吸収部材に、帯電防止処理を施したので、埃の付着を防止し、埃付着によって蒸発のスピードが遅くなるのを防止でき、またカバー部材の開口部の目詰まりを防止できるので換気風量の低下を防止することができるという作用を有する。
【００３９】
また、水分吸収部材に、抗菌処理を施したので、結露水によるカビの発生を防止するという作用を有する。
【００４０】
また、カバー部材の開口部の周囲に折り曲げ部材を設けたので、水分吸収部材がカバー部材から剥がれるのを防止できるという作用を有する。
【００４１】
また、カバー部材を水分吸収部材で構成したので、カバー部材の全表面積で多くの水分を放出できるため、カバー部材から水が垂れるのを防止できるという作用を有する。
【００４２】
（実施の形態１）
図１〜図２に示すように、建物の外壁内に設けられて室内１側と室外２側を連通するダクト３内に嵌挿される本体筒部４と、本体筒部４の室外側端部５に開口部６を有し径方向に延びるフランジ部７とを有するカバー部材８を有した換気用ベントキャップ９であって、カバー部材８の内周に水分を吸収する水分吸収部材１０を設けた構成とする。
【００４３】
図１は換気用ベントキャップが外壁に施工された断面図、図２は換気用ベントキャップの構成図を示したものである。
【００４４】
上記構成により、ダクト３内で結露などによって発生した水分は、本体筒部４を通してカバー部材８の下部１１に水分が溜まると、カバー部材８の下部１１の水分吸収部材１０に水分が染み込む。水分吸収部材１０に染み込んだ水分は、カバー部材８の内周に設けられた水分吸収部材１０の全体に染み渡り、そして、水分吸収部材１０に換気風があたると水分吸収部材１０から水分が気化されて、水分が蒸発する。このため、ダクト３内で発生した水分は換気用ベントキャップ９から水滴として垂れることがない。また、カバー部材８の下部１１に水が溜まってあふれることがないため、カバー部材８の下部１１の水を捨てるというメンテナンスを不要にできる。
【００４５】
また、図３に示すように、カバー部材８の開口部６にガラリ１２を設け、ガラリの面にも水分吸収部材１０を設けた構成とする。
【００４６】
上記構成により、カバー部材８の下部１１に溜まった水分は水分吸収部材１０によって水分がガラリ１２まで吸い上げられることとなる。ガラリ１２の面に設けた水分吸収部材１０に換気風があたると、気化現象により、水分吸収部材１０に吸われた水が蒸発する。ガラリ１２は換気風が当たり易い位置であるため水分の蒸発のスピードを促進させることができる。そのため、水分が多くても、自然蒸発のスピードを促進させているので、カバー部材８の下部１１に溜まる水分をより早く蒸発させることができる。
【００４７】
また、図４に示すように、カバー部材８の開口部６に網１３を設け、網１３にも水分吸収部材１０を設けた構成とする。
【００４８】
上記構成により、網１３によって室内に虫が侵入するのを阻止できる。また、目の細かい網１３は換気風との接触面が多いため、網１３に設けた水分吸収部材１０に風が多くあたるため、水分の蒸発のスピードが速くなる。
【００４９】
また、図５に示すように、水分吸収部材１０を、フェルト１４とした構成とする。
【００５０】
上記構成により、フェルト１４は水分吸収性に優れており、またフェルト１４は市販されており、換気用ベントキャップ９の製造メーカーだけでなく、一般の人（入居者やユーザー）にも簡単に入手することができる。マンションなど、居住の建物などで、壁に設置された換気用ベントキャップが水分吸収部材１０のないタイプである場合、ダクト３内で発生する水分が換気用ベントキャップに水が溜まり、換気用ベントキャップから水が垂れてしまう場合がある。この場合、ユーザーなど居住者が、市販されているフェルト１４を購入し、フェルト１４を換気用ベントキャップの周長分の長さに切り、換気用ベントキャップの内周に貼り付けることができる。
【００５１】
また、図６に示すように、水分吸収部材１０を、植毛１５とした構成とする。
【００５２】
上記構成により、植毛１５は、植毛１５の毛の１本一本が立っているため、風の当たる表面積を多くすることができる。そのため比較的、水分吸収部材１０の厚みを薄くすることができる。これにより、カバー部材８の開口部６に設けても換気風量を低下させることが少ない。
【００５３】
また、図７に示すように水分吸収部材１０を和紙１６として構成とする。
【００５４】
上記構成により、和紙１６は水分の吸収が良く、また水分の放出性も優れ、また薄く加工ができる。そのため、風によって蒸発するスピードが速く、多くの水分を早く蒸発させることができる。また、厚みが薄いので、カバー部材８の開口部６に設けても換気風量を低下させることが少ない。
【００５５】
また、図８に示すように、水分吸収部材１０に、防虫効果のある薬剤１７を含浸させた構成とする。
【００５６】
上記構成により、水分吸収部材１０に含浸させた薬剤１７の防虫成分により、虫を寄せ付けるのを防止できるので、居住者の室内に虫が侵入するのを防止できる。
【００５７】
また、図９に示すように、水分吸収部材１０に、帯電防止処理１８を施した構成とする。
【００５８】
上記構成により、水分吸収部材１０に施した帯電防止処理１８により、水分吸収部材１０に埃が付着することを防ぐので、埃付着によって蒸発のスピードが遅くなることを防止できる。また、網やガラリに埃が付着するのを防止できるため、カバー部材８の開口部６の目詰まりを防止でき、換気風量の低下を防止することができる。
【００５９】
また、図１０に示すように、水分吸収部材１０に、抗菌処理１９を施した構成とする。
【００６０】
上記構成により、水分吸収部材１０に施した抗菌処理１９により、水分吸収部材１０にカビが発生するのを防ぐことができる。
【００６１】
このように本発明の実施の形態１の換気用ベントキャップによればカバー部材の内周の水分吸収部材でダクト内の水分を吸収し、蒸発させるため、換気用ベントキャップから水分が垂れるのを防止し、また水分を捨てるというメンテナンスを不要にできる。
【００６２】
また、カバー部材にガラリを設け、ガラリにも水分吸収部材を設けたことにより、水分吸収部材に換気風がより当たり易くなり、その結果、蒸発のスピードが促進されるため、ダクト内に水分が多く発生するような環境であっても、換気用ベントキャップから水分が垂れるのを防止できる。
【００６３】
また、カバー部材に網を設け、網にも水分吸収部材を設けたことにより、水分吸収部材に換気風がより当たり易くなり、その結果、蒸発のスピードが促進されるため、ダクト内に水分が多く発生するような環境であっても、換気用ベントキャップから水分が垂れるのを防止できる。さらに網によって室内に虫が侵入するのを防止できる。
【００６４】
また、水分吸収部材をフェルトとしたことにより、既設の換気用ベントキャップに後からユーザーが市販されているフェルトを購入し、既設の換気用ベントキャップにフェルトを貼り付け、水分吸収部材の有した換気用ベントキャップに作りかえることができる。
【００６５】
また、水分吸収部材を植毛としたことにより、風の当たる表面積を多くすることができるため厚みを薄くすることができ、カバー部の開口部に設けても換気風量を低下させることを低減できる。
【００６６】
また、水分吸収部材を和紙にしたことにより、多くの水分を早く蒸発させることができる。
【００６７】
また、水分吸収部材に含浸させた薬剤の防虫成分により、虫を寄せ付けるのを防止できる。
【００６８】
また、水分吸収部材に帯電防止処理を施したことにより、埃付着を防止できるため、カバー部材の開口部の目詰まりを防止でき、換気風量の低下を防止することができる。また水分の蒸発のスピードが遅くなるのを防止できる。
【００６９】
また、水分吸収部材に、抗菌処理を施したことにより、水分吸収部材にカビが発生するのを防ぐことができる。
【００７０】
本実施の形態１では水分吸収部材をフェルト、植毛、和紙としたが、水分吸収部材は、水分が吸収できる性質を有し、かつ放出できる性質を有している材料であればどんな素材でも良い。また水分吸収部材は単一材料でも、複合材料でもよく本発明の作用効果に差異は生じない。
【００７１】
（実施の形態２）
図１１に示すように、カバー部材８の開口部６の周囲に折り曲げ部材２０を設けた構成とする。
【００７２】
上記構成により、折り曲げ部材２０は水分吸収部材１０をカバー部材８の内周に固定するように折り曲げられる。水分吸収部材１０の上部側は水分が浸透すると、その水分の重みで垂れ下がってくる。しかしながら折り曲げ部材２０が水分吸収部材１０をカバー部材８の内周に固定されているため、水分吸収部材１０がカバー部材８の内周から剥がれるのを防止することができる。
【００７３】
このように本発明の実施の形態２の換気用ベントキャップによれば、折り曲げ部材によって水分吸収部材をカバー部材の内周に固定されるので、水分吸収部材がカバー部材から剥がれるのを防止できることとなる。
【００７４】
（実施の形態３）
図１２に示すように、カバー部材８を水分吸収部材１０で構成する。
【００７５】
水分吸収部材１０は例えば、珪藻土などのねりものを焼結させてカバー部材８を構成させる。
【００７６】
上記構成により、カバー部材８全体が水分吸収部材１０で構成されているため、カバー部材８の表面積の全部が風にあたる面積であるので蒸発スピートが早い。そのためダクト３内で発生する水分が多くてもカバー部材８から水分が垂れるのを防止できる。
【００７７】
このように本発明の実施の形態３の換気用ベントキャップによれば、カバー部材全体が水分吸収部材で構成されており、カバー部材の全表面積で水分を放出できるため、カバー部材から水が垂れるのを防止できる。
【産業上の利用可能性】
【００７８】
発明にかかる換気用ベントキャップは、換気用ベントキャップの内部に付着した水滴を滴下させないという効果を有し、建物の外壁に装着される換気用ベントキャップとして有用である。
【図面の簡単な説明】
【００７９】
【図１】本発明の実施の形態１の換気用ベントキャップの取り付け状態を示す断面図
【図２】同換気用ベントキャップの構成を示す斜視図
【図３】同換気用ベントキャップの構成を示す断面図
【図４】同換気用ベントキャップの構成を示す斜視図
【図５】同換気用ベントキャップの構成を示す斜視図
【図６】同換気用ベントキャップの構成を示す斜視図
【図７】同換気用ベントキャップの構成を示す斜視図
【図８】同換気用ベントキャップの構成を示す斜視図
【図９】同換気用ベントキャップの構成を示す斜視図
【図１０】同換気用ベントキャップの構成を示す斜視図
【図１１】本発明の実施の形態２の換気用ベントキャップの構成を示す斜視図
【図１２】本発明の実施の形態３の換気用ベントキャップの構成を示す斜視図
【図１３】従来の換気用ベントキャップを示す斜視図
【符号の説明】
【００８０】
１    室内
２    室外
３    ダクト
４    本体筒部
５    室外側端部
６    開口部
７    フランジ部
８    カバー部材
９    換気用ベントキャップ
１０  水分吸収部材
１２  ガラリ
１３  網
１４  フェルト
１５  植毛
１６  和紙
１７  薬剤
１８  帯電防止処理
１９  抗菌処理
２０  折り曲げ部材
【図１】
2010210116.tif 000003
【図２】
2010210116.tif 000004
【図３】
2010210116.tif 000005
【図４】
2010210116.tif 000006
【図５】
2010210116.tif 000007
【図６】
2010210116.tif 000008
【図７】
2010210116.tif 000009
【図８】
2010210116.tif 000010
【図９】
2010210116.tif 000011
【図１０】
2010210116.tif 000012
【図１１】
2010210116.tif 000013
【図１２】
2010210116.tif 000014
【図１３】
2010210116.tif 000015